(57)【要約】【課題】広告主からのプランの入稿を促進することができるとともに、プラン情報配信サイトの活性化を図ることのできるプラン情報配信装置およびプラン情報配信システムを提供すること。【解決手段】プラン情報配信システム１０は、ゴルフや旅行などのプランを提案する複数の広告主端末１００と、広告主端末で提案されたゴルフや旅行などのプランが入稿され、これらのプランを予約可能な予約サイトを配信するプラン情報配信装置としての予約サーバ２００と、予約サーバ２００にアクセスして予約サイトを閲覧可能な複数のクライアント端末３００と、がインターネット２０を介して接続されている。【選択図】図１
2010015493.tif 000002
【特許請求の範囲】
【請求項１】
複数のクライアント端末にネットワークを介して接続され、このクライアント端末から取得した検索条件に適合するプランをプラン情報配信サイトに掲載して当該プランに対するスケジュール予約を受け付けるプラン情報配信装置であって、
ネットワークを介して接続された広告主端末から入稿された前記プランに関する情報を含むプランデータを入稿日時とともに蓄積するプラン記憶手段と、
前記プランに対するスケジュール予約を管理する予約管理手段と、
前記クライアント端末から取得した検索条件に適合するとともに、前記予約管理手段で予約に空きのある前記プランデータを前記プラン記憶手段から抽出し、抽出された前記プランデータを検索結果リストとして生成する検索結果生成手段と、
前記クライアント端末から取得した検索条件に適合するとともに、前記予約管理手段で予約に空きのある前記プランデータのうち前記入稿日時が新しいプランデータを広告用プランリストとして生成する広告用プラン生成手段と、
前記検索結果生成手段で生成した前記検索結果リストと前記広告用プラン生成手段で生成した前記広告用プランリストとを同一の表示領域に表示させた検索結果ページを作成して前記クライアント端末に送信するページ送信手段と、を具備したことを特徴とするプラン情報配信装置。
【請求項２】
請求項１に記載のプラン情報配信装置において、
前記検索結果リストは、前記クライアント端末から取得した検索条件に適合するとともに、前記予約管理手段で予約に空きのある前記プランデータから抽出された前記プランの提供場所のリストであることを特徴とするプラン情報配信装置。
【請求項３】
請求項１または請求項２に記載のプラン情報配信装置において、
前記広告用プラン生成手段は、現在時刻から一定時間内に前記広告主端末から入稿された前記プランデータの中からランダムに抽出することを特徴とするプラン情報配信装置。
【請求項４】
請求項１から請求項３のいずれかに記載のプラン情報配信装置において、
前記予約管理手段は、前記クライアント端末に送信された前記検索結果ページ上で前記広告用プランリストの任意のプランの広告にアクセスされ、そのプランの予約が行われると、前記広告主端末に対して課金処理を行うことを特徴とするプラン情報配信装置。
【請求項５】
請求項１から請求項４のいずれかに記載のプラン情報配信装置において、
前記クライアント端末を操作するユーザの属性をユーザごとに記録するユーザ情報記憶手段を備え、
前記広告用プラン生成手段は、前記広告用プランリストを生成する際、前記ユーザ情報記憶手段に記録された前記ユーザの属性を検索条件として付加することを特徴とするプラン情報配信装置。
【請求項６】
請求項１から請求項５のいずれかに記載のプラン情報配信装置において、
前記プランは、ゴルフプランであることを特徴とするプラン情報配信装置。
【請求項７】
複数のプランを提案する広告主端末と、
この広告主端末にネットワークを介して接続され、前記広告主端末から前記プランのプランデータが入稿される請求項１から請求項６のいずれかに記載のプラン情報配信装置と、
前記広告主端末および前記プラン情報配信装置にネットワークを介して接続され、前記プラン情報配信装置が提供するプラン情報配信サイトへのアクセス手段を備えたクライアント端末と、を具備したことを特徴とするプラン情報配信システム。
【発明の詳細な説明】
【技術分野】
【０００１】
本発明は、ネットワーク上で各種プランの配信を行うプラン情報配信装置およびプラン情報配信システムに関する。
【背景技術】
【０００２】
従来、インターネットなどのネットワーク上でゴルフや旅行の予約を行うことができるウェブサイト（以下、予約サイトと称する）が配信されている。この予約サイトでは、ユーザがログインすることにより、そのユーザの属性に応じた広告を表示したり、ユーザのこれまでの予約状況に応じた広告を表示するサービスが行われている（例えば、特許文献１）。
【０００３】
特許文献１に記載の情報処理装置では、旅行商品に見合った属性値（例えば、趣味に関するもの、興味に関するもの、特技に関するものなど）を推定してその属性値が対応付けられている顧客に広告を配信し、その顧客の予約状態に応じた属性値分布を計測して旅行商品に見合った属性値を再推定する。そして、その属性値に対応付けられている未予約の顧客に旅行商品の広告を行っている。
【０００４】
【特許文献１】特開２００５−１０８８５号公報
【発明の開示】
【発明が解決しようとする課題】
【０００５】
しかしながら、ゴルフや旅行などの予約サイトでは、季節やイベントなどの時期に応じた広告を掲載することが多く、表示する広告の内容に鮮度が求められている。すなわち、新しいゴルフプランや旅行プランが逐次提案されることが望ましい。
したがって、特許文献１では、顧客の予約状態に応じた旅行商品の広告が表示されることから、広告効率の高い広告が表示されるものの、ゴルフや旅行などの掲載期間が限られるようなプランを広告するには適していない。すなわち、掲載する広告の鮮度を保つことが難しい。
また、予約サイトでは、ユーザが予約しようとする条件に見合った広告を表示することが好ましいが、特許文献１では、その条件に合わない広告が表示され、広告効率の低下を招く可能性もある。
【０００６】
本発明の目的は、広告主からのプランの入稿を促進することができるとともに、プラン情報配信サイトの活性化を図ることのできるプラン情報配信装置およびプラン情報配信システムを提供することである。
【課題を解決するための手段】
【０００７】
本発明のプラン情報配信装置は、複数のクライアント端末にネットワークを介して接続され、このクライアント端末から取得した検索条件に適合するプランをプラン情報配信サイトに掲載して当該プランに対するスケジュール予約を受け付けるプラン情報配信装置であって、ネットワークを介して接続された広告主端末から入稿された前記プランに関する情報を含むプランデータを入稿日時とともに蓄積するプラン記憶手段と、前記プランに対するスケジュール予約を管理する予約管理手段と、前記クライアント端末から取得した検索条件に適合するとともに、前記予約管理手段で予約に空きのある前記プランデータを前記プラン記憶手段から抽出し、抽出された前記プランデータを検索結果リストとして生成する検索結果生成手段と、前記クライアント端末から取得した検索条件に適合するとともに、前記予約管理手段で予約に空きのある前記プランデータのうち前記入稿日時が新しいプランデータを広告用プランリストとして生成する広告用プラン生成手段と、前記検索結果生成手段で生成した前記検索結果リストと前記広告用プラン生成手段で生成した前記広告用プランリストとを同一の表示領域に表示させた検索結果ページを作成して前記クライアント端末に送信するページ送信手段と、を具備したことを特徴とする。
【０００８】
ここで、クライアント端末から取得した検索条件とは、プラン情報配信装置が提供する旅行やゴルフ場などのプランの予約サイトにおいて、クライアント端末で指定された日付やエリアなどのスケジュールに関する検索条件である。
ユーザはクライアント端末を操作してプラン情報配信装置が提供する予約サイトにアクセスし、希望するスケジュールやエリアを入力して検索条件とする。そして、この検索条件をプラン情報配信装置に送信して検索条件に適合するプランを要求する。検索条件としては特に限定されず、広告主端末が提供するプランの内容に応じて項目を指定すればよい。
プラン情報配信装置は、クライアント端末からの要求を認識すると、プラン記憶手段、予約管理手段、検索結果生成手段、広告用プラン生成手段およびページ送信手段により、クライアント端末からの検索条件に適合するとともに予約に空きのあるプランデータを抽出し、検索結果リストおよび入稿日時の新しいプランの広告を掲載した検索結果ページを、ネットワークを介して接続されたクライアント端末に送信し、各プランに対するスケジュール予約を受け付けて管理するものである。ここで、スケジュール予約とはプランに参加する日程等の予約情報が含まれる。
【０００９】
なお、プラン情報配信装置は、１つの装置で構成されてもよいが、複数の装置で構成されるものであってもよい。複数の装置で構成される場合は、複数の装置を合わせて、プラン記憶手段、予約管理手段、検索結果生成手段、広告用プラン生成手段およびページ送信手段を具備していればよい。例えば、プラン情報配信装置が２つの装置で構成される場合、一方の装置を主体としてプラン記憶手段、検索結果生成手段、広告用プラン生成手段およびページ送信手段を具備し、他方の装置が予約管理手段を具備する。
【００１０】
プラン記憶手段には、広告主端末から入稿されたプランデータが記憶されている。プランデータは、例えば、プラン名、場所、価格、エリア、広告情報などの情報を含んでいる。また、プラン記憶手段には、プランデータが入稿された日時が各プランデータの入稿日時として記憶される。
検索結果生成手段は、クライアント端末から取得した検索条件に適合するプランデータをプラン記憶手段から抽出し、検索結果リストを作成する。検索結果リストは、プランの一覧でも場所の一覧でもよく、検索結果としてウェブページに表示されるものである。なお、検索結果リストを表示する形態は様々である。通常、１つのプラン提供場所に対して複数のプランがあるため、例えば、プランのリストを表示してもよいし、全プランをプラン提供場所ごとに整理したプラン提供場所のリストを表示してもよい。
広告用プラン生成手段は、クライアント端末から取得した検索条件に適合するプランデータのうち、検索結果ページ上に広告として表示する広告用プランリストを作成する。具体的には、クライアント端末から取得した検索条件に適合するプランデータの中から入稿日時が新しいプランを任意に所定数選択する。所定数とは特に限定されないが、前述の検索結果リストの表示を妨げない範囲で適宜設定することができる。
【００１１】
ページ送信手段は、検索結果リストに基づいて検索結果ページを作成するとともに、この検索結果ページに広告用プランリストにあるプランデータを広告として表示し、クライアント端末に送信する。広告を表示する方法としては、テキスト表示、画像表示、バナー広告など特に限定されないが、ユーザの注目を促すことができるという点でバナー広告が好ましい。
予約管理手段は、ページ送信手段が送信した検索結果ページに表示されたプランに対してスケジュール予約が行われた際に、クライアント端末からの予約情報を取得して管理する。
【００１２】
この発明では、同一の表示領域にクライアント端末から取得した検索条件に適合するプランデータを表示するとともに、検索条件に適合したプランデータのうち入稿日時が新しいプランデータを広告として表示する。すなわち、鮮度の高いプランデータが広告として表示される。
したがって、季節やイベントなどの時期に応じたプランは掲載期間が限られていることが多いが、その掲載期間に逐次入稿することにより、より高い確率でそのプランのプランデータが広告として表示されることとなる。
また、広告用プランは、クライアント端末から取得した検索条件にも適合しているため、ユーザの目を引くものであり、高い広告効果を得ることができる。
そして、入稿日時の古いプランデータは広告として表示されなくなるため、広告主間に競争させ、プランデータの入稿を促進させることができるとともに、プランの多彩性の向上を図ることができる。
このように、複数の広告主から新しいプランデータが逐次入稿されることにより、プラン情報配信装置が提供するプラン情報配信サイトの広告掲載領域の更新頻度が高まり、プラン情報配信サイトが活性化される。
【００１３】
本発明のプラン情報配信装置において、前記検索結果リストは、前記クライアント端末から取得した検索条件に適合するとともに、前記予約管理手段で予約に空きのある前記プランデータから抽出された前記プランの提供場所の一覧であることが好ましい。
【００１４】
この発明では、検索結果生成手段により抽出されたプランデータをプラン提供場所のリストとして検索結果リストを作成して検索結果ページに表示する。すなわち、プラン提供場所の一覧が表示される。したがって、ユーザがプランの内容よりもプラン提供場所を重要視している場合には、ユーザの希望に応じた検索結果を表示することができる。
なお、検索結果リストとしてプラン提供場所が一覧表示された場合は、所望のプラン提供場所を選択するとそのプラン提供場所における複数のプランが表示されたウェブページが表示され、各プランについて予約可能となっている。
【００１５】
本発明のプラン情報配信装置において、前記広告用プラン生成手段は、現在時刻から一定時間内に前記広告主端末から入稿された前記プランデータの中からランダムに抽出することが好ましい。
【００１６】
この発明では、広告用のプランデータは、現在時刻から一定時間内に入稿されたプランデータからランダムに抽出されるため、抽出される確率を高めるためには、様々なプランデータを多く入稿すればよい。
したがって、プランの多彩性を向上させることができるとともに、広告主を競争させて広告の入稿を促進させることができる。
また、複数のプランデータを抽出する場合は、同一のプランデータを抽出しないようにすることが好ましい。これにより、プランの多彩性をより一層向上させることができる。
【００１７】
本発明のプラン情報配信装置において、前記予約管理手段は、前記クライアント端末に送信された前記検索結果ページ上で前記広告用プランリストの任意のプランの広告にアクセスされ、そのプランの予約が行われると、前記広告主端末に対して課金処理を行うことが好ましい。
【００１８】
この発明では、ページ送信手段によって送信された検索結果ページがクライアント端末の出力手段等に表示され、検索結果ページに表示された広告用プランの広告をクリックするなどしてその広告用プランの予約ページにアクセスし、プランの予約を行う。このように、検索結果ページに表示した広告から予約が行われると広告料金が発生し、予約管理手段によって広告課金処理が行われる。
広告課金処理は、広告主との契約形態に応じた方法で行われる。
以上のように、予約管理手段は、予約されるたびに広告主端末に対して課金処理を行うので、確実かつ迅速に広告料金を回収することができる。
【００１９】
本発明のプラン情報配信装置において、前記クライアント端末を操作するユーザの属性をユーザごとに記録するユーザ情報記憶手段を備え、前記広告用プラン生成手段は、前記広告用プランリストを生成する際、前記ユーザ情報記憶手段に記録された前記ユーザの属性を検索条件として付加することが好ましい。
【００２０】
ユーザ記憶手段には、ユーザに関する情報が記憶されている。例えば、ユーザ名、属性、趣味などが挙げられるが、これらに限定されない。
この発明では、広告用プラン生成得手段は、プラン情報配信サイトにアクセスしてきたクライアント端末を操作するユーザの情報をユーザ記憶手段から取得し、この情報に含まれるユーザ属性等の条件を付加して、クライアント端末から取得した検索条件に適合するプランデータを取得する。これにより、ユーザの検索条件に適合するとともに、ユーザの属性に最適なプランデータが抽出される。ここで、ユーザの属性に最適なプランとは、ユーザの嗜好に合ったプランであり、最も予約に結びつきやすいという意味である。
したがって、ユーザはこのような条件で抽出されたプランの広告に注目しやすく、この広告にアクセスしやすく予約につながりやすい。すなわち、高い広告効果を得ることができる。
【００２１】
本発明のプラン情報配信装置において、前記プランは、ゴルフプランであることが好ましい。
この発明では、プラン情報配信装置が提供する予約サイトは、ゴルフ場の予約サイトであり、検索結果ページには、検索条件に適合するゴルフプランまたはゴルフ場の一覧が検索結果リストとして表示される。したがって、ゴルフプランの予約サイトにおいて、前述の作用効果を奏することができる。
【００２２】
本発明のプラン情報配信システムは、複数のプランを提案する広告主端末と、この広告主端末にネットワークを介して接続され、前記広告主端末から前記プランのプランデータが入稿される請求項１から請求項６のいずれかに記載のプラン情報配信装置と、前記広告主端末および前記プラン情報配信装置にネットワークを介して接続され、前記プラン情報配信装置が提供するプラン情報配信サイトへのアクセス手段を備えたクライアント端末と、を具備したことを特徴とする。
【００２３】
この発明では、広告主端末と、プラン情報配信装置と、クライアント端末とで構成されたシステムである。前述のように、プラン情報配信装置は複数の装置で構成されてもよく、広告主端末がその一部として機能するものであってもよい。例えば、プラン情報配信装置が前述のプラン記憶手段、検索結果生成手段、広告用プラン生成手段およびページ送信手段を具備し、広告主端末が予約管理手段を具備した構成でもよい。
この発明によれば、ネットワークを介して接続されたクライアント端末、プラン情報配信装置、および広告主端末により、前述と同様の作用効果を奏することができる。
【発明を実施するための最良の形態】
【００２４】
以下、本発明の実施形態を図面に基づいて説明する。
［プラン情報配信システムの構成の概略］
図１は、本発明の実施形態にかかる予約サーバを含むプラン情報配信システムの構成の概略を示す図である。
図１に示すように、プラン情報配信システム１０は、ゴルフや旅行などのプランを提案する複数の広告主端末１００と、広告主端末で提案されたゴルフや旅行などのプランのプランデータが入稿され、これらのプランデータを予約可能な予約サイトを配信するプラン情報配信装置としての予約サーバ２００と、予約サーバ２００にアクセスして予約サイトを閲覧可能な複数のクライアント端末３００と、がインターネット２０を介して接続されている。
【００２５】
インターネット２０はＴＣＰ／ＩＰなどの汎用のプロトコルに基づくインターネットであるが、これに限られない。例えば、ＬＡＮ（Local Area Network）などのイントラネット、無線媒体により情報が送受信可能な複数の基地局がネットワークを構成する通信回線網や放送網などのネットワーク、さらには、データを直接受信するための媒体となる無線媒体自体など、データを送受信させるいずれの構成が利用できる。
【００２６】
広告主端末１００では、様々な旅行プランやゴルフプランが提案され、これらのプランはプランデータとしてインターネット２０を介して予約サーバ２００へ入稿される。すなわち、広告主端末１００は、旅行先を紹介する旅行会社やゴルフ場を紹介するゴルフ場紹介会社であり、それぞれのプラン提供場所における様々なプランデータを予約サーバ２００へ入稿する。
予約サーバ２００は、様々な旅行プランやゴルフプランの予約ができるウェブサイト（以下、予約サイトと称する）を提供する。予約サーバ２００では、広告主端末１００から入稿されたプランデータが蓄積され、クライアント端末３００から取得した検索条件に適合するプランデータが検索結果リストとして表示された検索結果ページがクライアント端末３００に配信される。
クライアント端末３００は、予約サーバ２００にインターネット２０を介してアクセスするアクセス手段を有し、アクセス手段により閲覧したい予約サイトを要求し、予約サーバ２００から受信した予約サイトを画面等の表示手段により表示する。
【００２７】
［プラン情報配信システムの構成の詳細］
図２は、本発明の実施形態にかかる予約サーバを含むプラン情報配信システムの構成の詳細を示すブロック図である。
広告主端末１００は、予約サーバ２００およびクライアント端末３００にネットワークを介して接続され、記憶手段および演算処理手段を備えている。本実施形態では、広告主端末１００はゴルフ場紹介会社であり、予約サーバ２００にゴルフプランのプランデータを入稿するほか、クライアント端末３００の要求に応じてゴルフプランの予約ページを送信し、クライアント端末３００からの予約情報を受信して予約処理を行う。
なお、広告主端末１００は、図示していないが、ウェブページを画面表示として出力させたり印刷出力する出力手段と、キーボード入力やファイル入力等の入力手段なども備えている。
【００２８】
記憶手段としては、広告主端末１００で登録されたプランデータを記憶するプランデータベース１１０と、各プランに対するユーザの予約内容を記憶する予約台帳データベース１２０を備えている。
プランデータベース１１０は、例えば、以下の表１に示すように、各プランのゴルフ場ＩＤとプランＩＤごとのプラン名、プレースタイル、価格、対象期間、エリア、広告情報などが１つのレコードとして記憶されるテーブル構造となっている。プレースタイルとしては、セルフ、できればキャディ付、キャディ付などから選択可能とされ、広告情報としては、テキストデータのほか音声や画像等のデータでもよい。また、プランデータベース１１０に格納される情報はこれらに限られず、例えば、ゴルフ場に関する情報（利用する高速道路名、最寄ＩＣ等）が格納されてもよい。
【００２９】
【表１】
2010015493.tif 000003
【００３０】
予約台帳データベース１２０は、例えば、以下の表２に示すように、各プランのプランＩＤと予約ユーザのユーザＩＤごとの予約日、プレー日、予約価格などが１つのレコードとして記憶されるテーブル構造となっている。なお、予約台帳データベース１２０に格納される情報はこれらに限られず、例えば、予約人数、スタート時間、コメントなどの情報のほか、ユーザに関する情報（住所、電話番号など）が格納されていてもよい。
【００３１】
【表２】
2010015493.tif 000004
【００３２】
一方、演算処理手段としては、広告主により提案された各ゴルフ場における様々なプランをプランデータとしてプランデータベース１１０に登録するプラン登録部１５１と、プランデータベース１１０に蓄積されたプランデータを予約サーバ２００に入稿するプラン入稿部１５２と、クライアント端末３００からの予約ページ要求を受信するページ要求受信部１６１と、要求された予約ページを作成するページ作成部１６２と、作成したページをクライアント端末３００に配信するページ送信部１６３と、クライアント端末３００からの予約情報を受け付ける予約受付部１７１と、予約情報に基づいて予約サーバ２００からユーザ情報を取得するユーザ情報取得部１７２と、を備えている。
【００３３】
ここで、予約受付部１７１および予約台帳データベース１２０は、本発明の予約管理手段として機能する。すなわち、本実施形態のプラン情報配信システム１０は、後述の予約サーバ２００の各演算手段と広告主端末１００の予約管理手段とによって本発明のプラン情報配信装置を構成するものである。なお、予約受付部１７１および予約台帳データベース１２０（予約管理手段）は、予約サーバ２００に備えられていてもよい。
【００３４】
プラン登録部１５１では、広告主端末１００の図示しない入力手段により入力された各ゴルフ場の各種プランがプランデータとしてプランデータベース１１０に登録される。
プラン入稿部１５２は、プランデータベース１１０に蓄積されたプランデータのうち、予約に空きのあるプランデータを予約サーバ２００へ入稿する。具体的には、予約台帳データベース１２０を参照し、各プランにおける予約数が所定数に満たないプランをプランデータベース１１０に蓄積されたプランデータと関連付けて抽出する。また、入稿する方法としては、ＸＭＬを利用したコンテンツ配信フォーマットであるＲＳＳ（RDF Site Summary  または  Rich Site Summary）などを利用することができる。また、入稿は定期的に行われるが、季節やイベントの時期に応じて逐次入稿するようにしてもよい。
【００３５】
ページ要求受信部１６１は、クライアント端末３００からのページ要求を受信する。具体的には、予約サーバ２００が配信する予約サイト上で任意のプランデータが選択されると、そのプランデータを入稿した広告主端末１００へクライアント端末３００からページ要求が送信され、広告主端末１００はページ要求受信部１６１でそのページ要求を受信する。
ページ作成部１６２は、クライアント端末３００が要求したページを作成する。ここで作成されるウェブページとしては、クライアント端末３００であるプランデータが選択された場合とあるゴルフ場が選択された場合の２通りが考えられる。前者であればそのプランに関する詳細情報を表示するウェブページが作成され、後者であればそのゴルフ場の各種プランの一覧を表示するウェブページが作成される。
ページ送信部１６３は、作成されたウェブページをクライアント端末３００に対して送信する。
【００３６】
予約受付部１７１は、クライアント端末３００から送信された予約情報を受信し、予約処理を行う。予約処理としては、クライアント端末３００から送信された予約情報に基づいてユーザ情報を取得し、予約台帳データベース１２０に予約情報を登録するとともに、予約があった旨の通知を予約サーバ２００に対して送信する。
ユーザ情報取得部１７２は、予約受付部１７１で予約情報を受信すると、その予約情報に基づいて予約サーバ２００のユーザ情報データベース２２０からユーザ情報を取得し、そのユーザ情報を予約受付部１７１へ返す。
【００３７】
予約サーバ２００は、広告主端末１００およびクライアント端末３００にネットワークを介して接続され、記憶手段および演算処理手段を備えている。予約サーバ２００は、定期的または必要に応じて、広告主端末１００またはクライアント端末３００にアクセスし、これらからネットワークを介して送出する各種データを送受信する。
【００３８】
記憶手段としては、複数の広告主端末１００から入稿されたプランデータを蓄積するプラン記憶手段としてのプランデータベース２１０と、ユーザＩＤなどのユーザ情報を蓄積したユーザ情報記憶手段としてのユーザ情報データベース２２０と、広告主に対する課金情報を蓄積する課金情報データベース２３０と、を備えている。
【００３９】
プランデータベース２１０は、例えば、以下の表３に示すように、複数の広告主端末１００から入稿されたプランデータごとの広告主ＩＤ、ゴルフ場ＩＤ、プレースタイル、価格、対象期間、エリア、広告情報、入稿日時などが１つのレコードとして記憶されるテーブル構造となっている。すなわち、広告主端末１００のプランデータベース１１０のデータに、広告主端末１００の広告主ＩＤを付加したものが、予約サーバ２００におけるプランデータベース２１０の１レコードとなる。前述のとおり、プレースタイルはセルフ、できればキャディ付、キャディ付などから選択可能とされ、広告情報はテキストデータのほか音声や画像等のデータでもよい。また、対象期間は該プランが適用される期間、エリアはゴルフ場のある地域、入稿日時は該プランが予約サーバ２００へ入稿された日時である。
【００４０】
【表３】
2010015493.tif 000005
【００４１】
ユーザ情報データベース２２０は、例えば、以下の表４に示すように、ユーザごとの氏名、生年月日、性別、住所、電話、決済方法などが１つのレコードとして記憶されたテーブル構造となっている。なお、ユーザ情報データベース２２０に格納される情報はこれらに限られず、例えば、趣味、嗜好など属性に関わる情報が格納されていてもよい。
【００４２】
【表４】
2010015493.tif 000006
【００４３】
課金情報データベース２３０は、例えば、以下の表５に示すように、広告主ごとの課金情報が１つのレコードとして記憶されるテーブル構造となっている。課金情報としては、課金方法を示す課金プランＩＤ、課金日時、課金額などである。課金方法は様々な種類があり、例えば、広告が１０００回表示されるごとに課金されるＣＰＭ（Ｃｏｓｔ  ｐｅｒ  １０００）、広告がワンクリックされるごとに課金されるＣＰＣ（Ｃｏｓｔ  ｐｅｒ  Ｃｌｉｃｋ）、１予約ごとに課金されるＣＰＡ（Ｃｏｓｔ  ｐｅｒ  Ａｃｔｉｏｎ）などがある。また、プレーヤーのプレー終了を広告主端末１００にて入力可能とし、そのプレー終了に応じて課金する課金方法をとってもよい。これらの課金方法は、課金額とともに課金プランＩＤと対応付けられている。
なお、本実施形態では、課金情報データベース２３０に課金情報を登録することを広告課金処理とする。
【００４４】
【表５】
2010015493.tif 000007
【００４５】
一方、演算処理手段としては、広告主端末１００から入稿されたプランデータを受け付けるプラン受付部２５１と、クライアント端末３００からのページ要求を受信するとともに検索条件を受信するページ要求受信部２６１と、検索条件に応じたプランデータをプランデータベース２１０から抽出するプラン検索部２６２と、抽出されたプランデータに基づいてゴルフ場リストを作成するゴルフ場リスト作成部２６３と、抽出されたプランデータの中から広告として表示するプランデータのリストを作成する広告用プランリスト作成部２６４と、クライアント端末３００が要求したページを作成するページ作成部２６５と、作成されたページをクライアント端末３００に送信するページ送信部２６６と、ユーザの予約状況に応じて広告主端末１００への課金処理を行う課金処理部２７１と、を備えている。
【００４６】
なお、本実施形態では、プラン検索部２６２およびゴルフ場リスト作成部２６３が本発明の検索結果生成手段として機能し、広告用プランリスト作成部２６４が本発明の広告用プラン生成手段として機能し、ページ作成部２６５およびページ送信部２６６が本発明のページ送信手段として機能する。また、課金処理部２７１と課金情報データベース２３０とが本発明の予約管理手段の一部として機能する。
【００４７】
プラン受付部２５１は、広告主端末１００から入稿されたプランデータを広告主ごとにプランデータベース２１０に登録する。
ページ要求受信部２６１は、クライアント端末３００からのページ要求を受信する。ここでは、ゴルフ場検索ページの要求である場合と、検索条件を受信する場合とがある。ページ要求受信部２６１は、受信する要求の種類に応じて後の処理を判断する。前者の場合はページ作成部２６５へ指示を出し、後者の場合はプラン検索部２６２へ指示を出す。
【００４８】
プラン検索部２６２は、ページ要求受信部２６１で検索条件を受信した場合に検索条件に適合するプランデータをプランデータベース２１０から抽出する。
ゴルフ場リスト作成部２６３は、プラン検索部２６２で抽出されたプランデータを有するゴルフ場リストを作成する。ゴルフ場検索において、ユーザがゴルフ場を選択する基準としてゴルフ場の立地条件（都道府県、利用する高速道路、最寄のＩＣ等）が重要になるのが一般的である。そのため、ゴルフ場リスト作成部２６３は、検索結果としてゴルフ場と立地条件とのリストを作成する。
広告用プランリスト作成部２６４は、プラン検索部２６２で抽出されたプランデータのうち、広告として表示するプランデータのリストを作成する。広告として表示するプランとしては、季節やイベントなどの期間限定プランや特におすすめのプランであることが望ましく、具体的には、入稿日時が最新である所定数のプランデータを選択して広告用プランリストとする。
【００４９】
また、ユーザ情報データベース２２０に記憶されているユーザ属性を抽出条件として追加してもよい。例えば、ユーザが女性である場合には「レディスプラン」、ユーザの興味が温泉である場合は「温泉付プラン」などを条件として抽出することができる。
広告として選択するプランデータの所定数は特に限定されないが、クライアント端末３００で検索結果ページを表示する際にゴルフ場リストの表示を妨げないように、１件以上３件以下であることが好ましい。
【００５０】
ページ作成部２６５は、クライアント端末３００が要求したページを作成する。前述のとおり、ページ要求受信部２６１で検索条件を受信した場合には、ゴルフ場リスト作成部２６３で作成されたゴルフ場リストと広告用プランリスト作成部２６４で作成された広告用プランリストに基づいて、検索結果ページを作成する。このため、検索結果ページには、立地条件を重視したゴルフ場の一覧に合わせて、ユーザが検索しようとしている条件に合致したプランを広告として含めることができる。
一方、クライアント端末３００がゴルフ場検索ページを要求している場合は、ゴルフ場検索ページを作成する。
ページ送信部２６６は、ページ作成部２６５で作成されたウェブページをクライアント端末３００へ送信する。
【００５１】
課金処理部２７１は、広告として表示されたプランが予約された場合に、広告主端末１００からの課金処理の要求を受信し、広告主端末１００に対する課金処理を行う。具体的には、各々の広告主端末１００の課金プランに応じた課金情報を課金情報データベース２３０に登録する。
【００５２】
クライアント端末３００は、各種演算を行う演算処理手段を備えている。なお、図２には図示しないが、各種フォーム等を記憶する記憶手段のほか、ウェブページを画面表示として出力させたり印刷出力させる出力手段と、キーボードなどの入力手段なども備えている。
【００５３】
演算処理手段としては、予約サーバに対して閲覧したいウェブページを要求するページ要求部３５１と、予約サーバ２００から配信されたウェブページを受信するページ受信部３５２と、受信したウェブページを端末表示手段より画面表示させるページ表示部３５３と、表示されたウェブページ上で選択した検索条件を予約サーバ２００に送信する検索条件送信部３５４と、予約情報を広告主端末１００に送信する予約情報送信部３５５と、を備えている。
なお、ページ要求部３５１とページ受信部３５２と検索条件送信部３５４と予約情報送信部３５５とが本発明のアクセス手段として機能する。
【００５４】
ページ要求部３５１は、閲覧したいウェブページを予約サーバ２００に要求する場合と、選択したプランの予約ページを広告主端末１００に要求する場合とがある。前者では、予約サーバ２００が配信するゴルフ場検索ページを要求する。このとき、ユーザＩＤなどのユーザ情報を予約サーバ２００に対して送信してもよい。後者は、予約サーバ２００から配信されたゴルフ場検索結果ページに表示されたゴルフ場またはプランを選択した場合に送信される。
ページ受信部３５２は、予約サーバ２００から送信されたウェブページを受信する。
ページ表示部３５３は、受信したウェブページを画面等の出力手段により表示する。
【００５５】
検索条件送信部３５４は、クライアント端末３００の入力手段により入力された検索条件を予約サーバ２００に送信する。すなわち、検索条件を送信することで、この検索条件に適合するプランデータを表示する検索結果ページを要求することになる。
予約情報送信部３５５は、クライアント端末３００の入力手段により入力された予約情報を広告主端末１００に送信する。
【００５６】
クライアント端末３００としては、インターネットを介して広告主端末１００および予約サーバ２００に接続可能な機器であればよく、特に限定されないが、例えば、携帯電話やノートパソコンなどが挙げられる。なお、図２においては、１つの広告主端末１００と１つのクライアント端末３００とが予約サーバ２００に接続された構成を例示したが、実際には、予約サーバ２００は、多数の広告主端末１００からプランを受け付け、多数のクライアント端末３００に対して予約サイトを提供するものである。
【００５７】
［プラン情報配信システムの動作］
図３は、本発明の実施形態にかかるプラン情報配信システムのフローチャートである。図４は、前記実施形態にかかる出力手段により表示された画像を示す第１説明図であり、図５は、前記実施形態にかかる出力手段により表示された画像を示す第２説明図である。
以下、図２を適宜参照しつつ、図３、図４および図５に沿ってプラン情報配信システム１０の動作を説明する。
【００５８】
まず、ユーザは、クライアント端末３００の図示しない入力手段を入力操作し、予約サーバ２００にアクセスするために、例えば、ウェブブラウザを起動させてアドレスを入力する。このアドレスの入力により、クライアント端末３００はページ要求部３５１から予約サーバ２００に対してページ要求を送信する。
【００５９】
このとき、ＣｏｏｋｉｅによりユーザＩＤを同時に送信することにより、要求したウェブサイトにログインしてもよいし、ログイン画面をウィンドウ表示してユーザＩＤおよびパスワードを入力することでログインしてもよい。また、ユーザがユーザＩＤを有していない場合には、予約サーバ２００が新規登録用のウェブページを表示させ、希望するユーザＩＤなどの所定事項を入力して予約サーバ２００に送信することでユーザ情報データベース２２０への登録を受けることができる。ユーザＩＤの新規登録に際して記入する所定事項としては、希望するユーザＩＤ、パスワード、メールアドレス、氏名、性別、年齢などが挙げられるが、これに限定されず、必要に応じて任意に設定することができる（表４参照）。
【００６０】
予約サーバ２００は、このページ要求をページ要求受信部２６１で受信すると、ページ作成部２６５でゴルフ場検索ページを作成し、ページ送信部２６６からクライアント端末３００へゴルフ場検索ページを送信する。
クライアント端末３００は、ページ受信部３５２でゴルフ場検索ページを受信すると、ページ表示部３５３は、図示しない出力手段によってゴルフ場検索ページを画面表示する。
ゴルフ場検索ページは、ゴルフ場を検索するための様々な条件が選択可能とされ、クライアント端末３００の図示しない入力手段を操作することで、条件を入力することができる。条件としては、例えば、ゴルフをプレーする日付、プレー料金、ゴルフ場エリア、最寄ＩＣなどが挙げられる。
【００６１】
以下、クライアント端末３００と予約サーバ２００と広告主端末１００の動作を図３に沿って説明する。
ステップＳ１において、クライアント端末３００の検索条件送信部３５４は、出力手段により画面表示されたゴルフ場検索ページ上で入力手段により入力された検索条件を予約サーバ２００へ送信する。
【００６２】
ステップＳ２において、予約サーバ２００のページ要求受信部２６１は検索条件を受信するとステップＳ３へ進む。
ステップＳ３では、プラン検索部２６２が、ページ要求受信部２６１で受信した検索条件に適合するプランデータをプランデータベース２１０から抽出してステップＳ４へ進む。
ステップＳ４では、ゴルフ場リスト作成部２６３が、ステップＳ３で抽出されたプランデータを有するゴルフ場リストを作成してステップＳ５へ進む。
ステップＳ５では、広告用プランリスト作成部２６４が、ステップＳ３で抽出したプランデータのうち入稿日時が現在時刻から一定時間内であるプランデータをランダムに３件選択し、広告用プランリストを作成してステップＳ６へ進む。なお、ランダムに３件選択する場合は、同一のプランデータを除いて選択する。
ステップＳ６では、ステップＳ４で作成したゴルフ場リストおよびステップＳ５で作成した広告用プランリストに基づいて、検索結果ページを作成してステップＳ７へ進む。
ステップＳ７では、ページ送信部２６６が検索結果ページをクライアント端末３００へ送信する。
【００６３】
クライアント端末３００のページ受信部３５２は、ステップＳ８において予約サーバ２００から送信された検索結果ページを受信してステップＳ９に進む。
ステップＳ９では、ページ表示部３５３が、ステップＳ８で受信した検索結果ページを図示しない出力手段により画面表示する。出力された検索結果ページを図４に示す。
【００６４】
図４に示すように、検索結果ページ５００は、ステップＳ１で送信した検索条件（プレー日、プレー料金、エリア）が表示される条件表示領域５１０と、検索条件に適合するゴルフ場の一覧が表示されるゴルフ場一覧表示領域５２０と、検索条件に適合するプランのうち入稿日付が新しいプランが広告表示される広告表示領域５３０と、により構成される。
【００６５】
ゴルフ場一覧表示領域５２０には、各ゴルフ場の名称と交通手段（高速道路名、最寄のＩＣ）とが表示されるが、表示する項目はこれらに限られず、プレー料金や紹介コメント等のゴルフ場に関する他の情報を表示してもよい。また、ゴルフ場ごとの予約ボタン５２１を備えている。
広告表示領域５３０は、検索結果ページ５００上に区画されて設けられ、ステップＳ５で作成された広告用プランリストの各プランの広告が表示される。表示形態は、各プランデータの広告情報の種類に応じて適宜調整される。例えば、広告情報がテキストデータとして登録されている場合はテキスト表示し、画像などの広告バナーとして登録されている場合はその広告情報に基づいてサイズなどを調整して表示する。
【００６６】
そして、ステップＳ１０において、検索結果ページ５００の広告表示領域５３０に表示されたプランが図示しない入力手段により選択されるとＹｅｓとなりステップＳ１１へ進む。何も選択されない場合は、ＮｏとなりステップＳ２０へ進む。
ステップＳ１１では、選択されたプランの詳細情報が表示された予約ページを、このプランデータを提案した広告主端末１００に要求する。
【００６７】
広告主端末１００は、ステップＳ１２において、ページ要求受信部１６１で予約ページ要求を受信すると、ＹｅｓとなりステップＳ１３へ進む。予約ページ要求を受信していない場合は、Ｎｏとなり待機状態となる。
ステップＳ１３では、クライアント端末３００が要求したプランの予約ページをページ作成部１６２が作成し、ページ送信部１６３がクライアント端末３００に送信する。
【００６８】
クライアント端末３００は、ステップＳ１４において、ページ受信部３５２が予約ページを受信し、ページ表示部３５３が出力手段により画面表示する。出力された予約ページを図５に示す。
【００６９】
図５に示すように、予約ページ６００には、ステップＳ１０で選択したプランの詳細情報が表示されている。具体的には、プラン名、プレー日、料金、エリア、その他の情報である。そして、予約ボタン６１０が設けられており、予約ボタン６１０を押すことにより、そのまま予約手続きに進むことができる。予約を行う際には、スタート時間、プレースタイル、人数などを指定することができ、また予約先に対する要望などを入力可能なコメント入力欄なども設けられている。
【００７０】
ステップＳ１５では、予約ボタン６１０が押されたかどうかを判断する。予約ページ６００で予約ボタン６１０が押されるとＹｅｓ（予約確定）となりステップＳ１６へ進む。予約ボタンが押されない場合は待機状態となり、ステップＳ２０へ進む。
なお、ステップＳ１５で予約確定する前に、予約内容を確認する確認ページを表示してもよい。
ステップＳ１６では、確定した予約内容を広告主端末１００に対して送信する。
【００７１】
広告主端末１００は、ステップＳ１７において、予約受付部１７１での予約内容の受信の有無を判断する。予約受付部１７１が予約内容を受信するとＹｅｓとなりステップＳ１８へ進む。予約内容を受信しない場合はＮｏとなり待機状態となる。
ステップＳ１８では、予約受付部１７１が予約処理を行う。具体的には、予約受付部１７１がユーザ情報取得部１７２に指示を出し、受信した予約内容に基づいて取得したユーザ情報を予約受付部１７１に返す。そして、予約受付部１７１は、予約内容をユーザ情報とともに予約台帳データベース１２０に登録する。そして、これと同時に、予約サーバ２００に対して広告課金の要求を送信する。
予約サーバ２００は、ステップＳ１９において、課金処理部２７１が広告課金の要求を受信すると、広告課金処理を行う。具体的には、広告主ごとの広告課金情報を課金情報データベース２３０に登録することで広告課金処理を行う。
【００７２】
クライアント端末３００は、ステップＳ２０において、図示しない演算手段により検索結果ページにおける検索条件の更新の有無を判断する。検索条件が更新されるとＹｅｓとなりステップＳ１へ進み、前述と同様の動作をする。検索条件が更新されない場合はＮｏとなりステップＳ２１へ進む。
【００７３】
ステップＳ２１では、図示しない検索結果ページ５００のゴルフ場一覧表示領域５２０に表示されたゴルフ場の選択の有無を、クライアント端末３００の図示しない演算手段により判断する。すなわち、予約ボタン５２１が押されるとＹｅｓとなりステップＳ２２へ進む。予約ボタン５２１が押されない場合はＮｏとなり待機状態となる。
ステップＳ２２では、検索条件送信部３５４が、検索結果リストとして表示されたゴルフ場の一覧から任意のゴルフ場を選択し、そのゴルフ場に関するプランリストを予約サーバ２００に対して要求する。
【００７４】
予約サーバ２００は、ステップＳ２３において、ページ要求受信部２６１がゴルフ場に関するプランリストの送信要求を受信すると、ステップＳ２４へ進む。
ステップＳ２４では、プラン検索部２６２が該当するゴルフ場のプランリストを作成し、ページ作成部２６５がこのプランリストを一覧表示したページを作成し、ページ送信部２６６がクライアント端末３００に対して送信する。
【００７５】
クライアント端末３００は、ステップＳ２５において、ページ受信部３５２がプランリストのページを受信すると、ページ表示部３５３がプランリストのページを図示しない出力手段により画面表示してステップＳ２６に進む。
ステップＳ２６では、プランリストのページのプランが図示しない入力手段により選択されるとＹｅｓとなりステップＳ１１へ進む。何も選択されない場合は、ＮｏとなりステップＳ２０へ進む。
【００７６】
［実施形態の作用効果］
本実施形態では、以下に示す作用効果を奏することができる。
クライアント端末３００からの検索条件に適合するプランデータを有するゴルフ場のリストを検索結果リストとして表示する検索結果ページ上に、検索条件に適合するプラデータンのうち入稿日時の新しいプランデータの広告を表示する。入稿日時が古いプランデータは広告として表示されなくなるため、広告主は常に新しいプランデータを入稿する必要がある。したがって、プランの多彩性の向上および広告主のプランデータの入稿促進を図ることができ、予約サイトには常に鮮度の高いプランを広告として表示することができる。特に、季節やイベントなどの期間限定のプランの場合、集中的に広告宣伝することもできるため、非常に高い広告効果を得ることができる。
【００７７】
本実施形態では、複数の広告主から新しいプランデータが逐次入稿されることにより、予約サーバ２００が提供する予約サイトの広告表示の更新頻度が高まり、予約サイトの活性化を図ることができる。
また、プラン入稿部１５２は、プランデータベース１１０に蓄積されたプランデータのうち、予約に空きのあるプランデータを入稿するので、予約可能なプランを有するゴルフ場のリストを検索結果リストとして表示することができる。
【００７８】
さらに、現在時刻から一定時間内に入稿されたプランデータがランダムに抽出される。したがって、広告として表示される確率を高めるためには、短期間隔で多彩なプランデータを入稿する必要があり、広告主の新しいプランデータの入稿をより促進することができる。
【００７９】
また、上述の実施形態において、広告用プランリスト作成部２６４は、ユーザ情報データベース２２０に記憶されているユーザ属性を抽出条件としている。
したがって、検索条件に適合するとともにユーザの属性や興味に応じたプランデータが広告として表示されるので、ユーザがそのプランに注目する可能性は高く、高い広告効果を得ることができる。
【００８０】
そして、予約サーバ２００は課金処理部２７１により、広告主端末１００からの予約通知を受信すると広告課金処理を行っている。すなわち、クライアント端末３００のアクションに応じて課金処理を行うので、確実かつ迅速に広告料金を回収することができる。
【００８１】
［変形例］
なお、本発明は、上述した実施形態に限定されるものではなく、本発明の目的を達成できる範囲で、例えば、以下に示される変形をも含むものである。
【００８２】
上述の実施形態では、広告主端末１００が予約管理手段を有する構成としたが、予約サーバ２００が予約管理手段を有していてもよい。また、広告主端末１００と予約サーバ２００の両方が予約管理手段を有していてもよい。この場合は、予約台帳ＤＢ内のデータを同期させて管理することが好ましい。
【００８３】
また、上述の実施形態では、プランデータベース２１０の内容は、前述したものに限られない。設定したい検索条件等に応じて適宜項目を増やしたり減らしたりしてもよい。例えば、プレースタイル（キャディ付、乗用カート有、宿泊プラン、昼食付など）、コース種別（丘陵、林間、シーサイド、高原など）、コース形状（フェアウェーが多い、ＯＢ少なめなど）、高速道路、高速道路からの距離などを追加してもよい。このように条件を増やすことにより、ユーザの所望に適合したプランを抽出することができ、より広告効果の高い広告配信を行うことができる。
他のデータベースについても同様に、必要に応じて適宜項目を増やしたり減らしたりしてもよい。
【００８４】
また、上述の実施形態では、ユーザ情報データベース２２０を予約サーバ２００にのみ設けたが、広告主端末１００に設けてもよい。これによれば、広告主端末１００で予約処理を行う際に予約サーバ２００へアクセスする必要がないので、処理の高速化を図ることができる。この場合、広告主端末１００と予約サーバ２００とに存在するユーザ情報を同期させることが望ましい。
【００８５】
さらに、上述の実施形態では、検索条件を受信する際にユーザＩＤを同時に受信またはログイン画面からログインすることとしたが、ユーザ登録を行っていないユーザであっても予約サイトを利用することができる。この場合、広告用プランリストを作成する際は、ユーザ情報による条件を付加しないで作成すればよい。
【００８６】
上述の実施形態では、検索結果ページの広告表示から予約ページへアクセスして予約処理が行われたときに広告主に対する課金処理が行われたが、課金方法はこれに限られない。例えば、１０００回表示されるごとに課金されるＣＰＭや、広告表示がワンクリックされるごとに課金されるＣＰＣなどもある。これらのイベントがあると、クライアント端末３００から予約サーバ２００へ通知され、課金処理部２７１が課金処理を行う。これによれば、様々な課金方法を利用できる。
【００８７】
上述の実施形態において、検索結果ページにおいて任意のゴルフ場を選択した場合、予約サーバ２００にそのゴルフ場のプランリストを要求したが、広告主端末１００に要求してもよい。この場合、広告主端末１００は、そのゴルフ場におけるプランリストを表示したウェブページをクライアント端末３００に配信する。これによれば、予約サーバ２００が配信するウェブページの種類が減少するので、より簡単な構成とすることができる。
【００８８】
上述の実施形態において、予約サーバ２００から配信される予約サイトはゴルフ場を予約できるサイトであったが、これに限られず、旅行やイベント等のスケジュール予約ができる予約サイトであってもよい。
【産業上の利用可能性】
【００８９】
本発明は、ネットワーク上で予約サイトを提供するプラン情報配信装置およびプラン情報配信システムとして利用できる。
【図面の簡単な説明】
【００９０】
【図１】本発明の実施形態にかかる予約サーバを含むプラン情報配信システムの構成の概略を示す図。
【図２】本発明の実施形態にかかる予約サーバを含むプラン情報配信システムの構成の詳細を示すブロック図。
【図３】本発明の実施形態にかかるプラン情報配信システムのフローチャート。
【図４】前記実施形態にかかる出力手段により表示された画像を示す第１説明図。
【図５】前記実施形態にかかる出力手段により表示された画像を示す第２説明図。
【符号の説明】
【００９１】
１０      プラン情報配信システム
２０      インターネット
１００      広告主端末
２００      予約サーバ
２１０      プランデータベース
２２０      ユーザ情報データベース
２５１      プラン受付部
２６２      プラン検索部
２６３      ゴルフ場リスト作成部
２６４      広告用プランリスト作成部
２６５      ページ作成部
２７１      課金処理部
３００      クライアント端末
３５１      ページ要求部
３５２      ページ受信部
３５４      検索条件送信部
３５５      予約情報送信部
【図１】
2010015493.tif 000008
【図２】
2010015493.tif 000009
【図３】
2010015493.tif 000010
【図４】
2010015493.tif 000011
【図５】
2010015493.tif 000012